(57)【要約】【課題】被検者の体格に合わせたＸ線照射手段及びX線受像手段の高さ調整と、Ｘ線照射野の調整が短時間で容易行えるＸ線撮影装置を提供する。【解決手段】装置本体１に同時に上下調整できるように支持され、かつ対向配置されたＸ線照射手段５及びX線受像手段８と、Ｘ線照射手段５より照射されるＸ線の中心Ｏに対して上下方向に独立及び／または連動して絞り羽根７ｂを開閉することにより、Ｘ線の照射野を調整する絞り手段７とから構成したもので、被検者が大人と子供のように体格に大きな差があっても、体格に合わせたＸ線照射野の調整が容易かつ的確に行える上、Ｘ線受像手段８とＸ線照射手段５の連動を切り離して個別に高さ調整する必要がないため、被検者の体格に合わせたＸ線受像手段８及びＸ線照射手段５の高さ調整が短時間で容易に行える。【選択図】図１
2005287668.tif 000002
【特許請求の範囲】
【請求項１】
装置本体に同時に上下調整できるように支持され、かつ対向配置されたＸ線照射手段及びＸ線受像手段と、前記Ｘ線照射手段より照射されるＸ線の中心に対して上下方向に独立及び／または連動して絞り羽根を開閉することにより、Ｘ線の照射野を調整する絞り手段とから構成したことを特徴とするX線撮影装置。
【請求項２】
請求項１に記載のＸ線撮影装置であって、前記絞り手段を、Ｘ線の中心に対して上下方向に分割された複数の絞り羽根と、前記絞り羽根を独立及び／または連動して上下方向に開閉する絞り駆動手段とから構成したことを特徴とするX線撮影装置。
【請求項３】
請求項１に記載のＸ線撮影装置であって、前記Ｘ線照射手段及び前記X線受像手段を、前記装置本体に上下動自在に支持された支持アームの両端側に対向するよう設けたことを特徴とするＸ線撮影装置。
【請求項４】
請求項２記載のＸ線撮影装置であって、前記支持アームを長手方向に伸縮自在な複数の第１、第２アームにより構成し、かつ前記第１、第２アームを伸縮することにより、前記Ｘ線照射手段と前記Ｘ線受像手段との間の距離を調整自在としたことを特徴とするＸ線撮影装置。
【請求項５】
請求項２記載のＸ線撮影装置であって、前記支持アームを前記装置本体の支持部を中心に上下方向に回動自在としたことを特徴とするＸ線撮影装置。
【発明の詳細な説明】
【技術分野】
【０００１】
本発明は、被検者の体格に合わせてＸ線照射手段及びX線受像手段の高さ調整と、Ｘ線照射野の調整が容易に行えるＸ線撮影装置に関する。
【背景技術】
【０００２】
従来主として被検者の胸部を撮影するＸ線撮影装置は、図４及び図５に示すように床ａ上に設置された支持台ｂに、Ｘ線を受像するＸ線ディテクタ等のＸ線受像手段ｃが上下調整自在に設けられおり、Ｘ線受像手段ｃの後方には、Ｘ線受像手段ｃに向けてＸ線を照射するＸ線照射手段ｄが設置されている。
Ｘ線照射手段ｄは、例えば天井面ｅに設けられた移動台ｆに伸縮アームｇを介して取り付けられていて、Ｘ線受像手段ｃを上下調整した場合、Ｘ線受像手段ｃに連動して伸縮アームｇが上下方向に伸縮することにより、Ｘ線受像手段ｃの中心とＸ線照射手段ｄの中心が常に一致した状態でＸ線受像手段ｃとＸ線照射手段ｄが高さ調整できるように構成されている。
また従来のＸ線撮影装置には、図６及び図７に示すようにＸ線受像手段ｃとＸ線照射手段ｄを床ａ上に設置したものもある。
【発明の開示】
【発明が解決しようとする課題】
【０００３】
図６及び図７に示す従来のＸ線撮影装置では、Ｘ線受像手段ｃとＸ線照射手段ｄが連動して上下動することから、Ｘ線受像手段ｃを被検者の体格に合わせて上下調整した場合、Ｘ線照射手段ｄ側が自動的に上下動するため、Ｘ線照射手段ｄ側を上下調整する手間が省ける等の利点を有している。
また被検者が大人に比べて体格の小さい子供の場合、被検者の体格に合わせてＸ線受像手段ｃの高さを調整した後、さらに照射野を調整しているが、従来のＸ線装置では、子供のように体格の小さい被検者に合わせてＸ線受像手段ｃの高さを調整した場合、被検者の腹部当たりにＸ線の中心がきてしまい、目的とする胸部のみを的確に撮影することができない。
【０００４】
このため従来では、Ｘ線受像手段ｃとＸ線照射手段ｄの連動関係を一旦切り離して、まず被検者の顎を基準にＸ線受像手段ｃの高さを調整し、その後Ｘ線照射手段ｄを上下調整して、Ｘ線の中心が被検者の胸部付近となるように調整した後さらにＸ線の照射野を調整しており、調整が２段階となるため操作が面倒な上、調整に時間がかかる問題があった。
特にＸ線の中心の調整はＸ線技師が目分量で行うことが多いことから、実際にはＸ線照射手段ｄの上下調整と、Ｘ線照射手段ｄの前面に設けられた絞り手段ｇの調整を数回繰り返して、Ｘ線の中心とＸ線の照射野を決定しているため、Ｘ線撮影に時間がかかって作業能率が悪いと共に、Ｘ線受像手段ｃとＸ線照射手段ｄの連動関係を切り離して個別に調整するための機構が必要なため、構造が複雑となる等の問題があった。
【０００５】
本発明はかかる従来の問題を改善するためになされたもので、被検者の体格に合わせたＸ線照射手段及びX線受像手段の高さ調整と、Ｘ線照射野の調整が短時間で容易行えるＸ線撮影装置を提供することを目的とするものである。
【課題を解決するための手段】
【０００６】
本発明のＸ線撮影装置は、装置本体に同時に上下調整できるように支持され、かつ対向配置されたＸ線照射手段及びＸ線受像手段と、Ｘ線照射手段より照射されるＸ線の中心に対して上下方向に独立及び／または連動して絞り羽根を開閉することにより、Ｘ線の照射野を調整する絞り手段とから構成したものである。
【０００７】
前記構成により、Ｘ線の中心に対して下側の絞り羽根のみを開閉してＸ線照射野の調整が行えることから、被検者が大人と子供のように体格に大きな差があっても、体格に合わせたＸ線照射野の調整が容易かつ的確に行えると共に、被検者が子供の場合、必要以上にＸ線照射野が広がることがないので、被検者のＸ線被曝量を低減することができる。
また被検者が体格の小さい子供等の場合であっても、Ｘ線受像手段とＸ線照射手段の連動を切り離して個別に高さ調整する必要がないため、被検者の体格に合わせたＸ線受像手段及びＸ線照射手段の高さ調整が短時間で容易に行えると共に、Ｘ線受像手段とＸ線照射手段の連動関係を切り離して個別に調整するための機構が不要となり、これによってＸ線受像手段とＸ線照射手段の高さ調整機構が簡素化できるため、Ｘ線撮影装置のコスト低減が図れるようになる。
【０００８】
本発明のＸ線撮影装置は、絞り手段を、Ｘ線の中心に対して上下方向に分割された複数の絞り羽根と、絞り羽根を独立及び／または連動して上下方向に開閉する絞り駆動手段とから構成したものである。
【０００９】
前記構成により、少ない部品点数で絞り手段を構成することができるため、絞り手段が安価に得られるようになる。
【００１０】
本発明のＸ線撮影装置は、Ｘ線照射手段及びX線受像手段を、装置本体に上下動自在に支持された支持アームの両端側に対向するよう設けたものである。
【００１１】
前記構成により、支持アームを上下動することによりＸ線照射手段及びX線受像手段を同時に高さ調整できる上、Ｘ線照射手段とX線受像手段の中心がずれることがないため、被検者が体格の小さい子供等の場合であっても、被検者の体格に合わせたＸ線受像手段及びＸ線照射手段の高さ調整が短時間で容易に行えると共に、支持アームを上下動するだけでＸ線受像手段及びＸ線照射手段の高さ調整が行えるため、Ｘ線受像手段とＸ線照射手段を高さ調整する高さ調整手段の簡素化が図れるようになる。
【００１２】
本発明のＸ線撮影装置は、支持アームを長手方向に伸縮自在な複数の第１、第２アームにより構成し、かつ第１、第２アームを伸縮することにより、Ｘ線照射手段と前記Ｘ線受像手段との間の距離を調整自在としたものである。
【００１３】
前記構成により、胸部撮影に際してX線照射手段とＸ線受像手段の間隔を簡単に調整できるため、それぞれの部位に適した撮影が容易に行える。
【００１４】
本発明のＸ線撮影装置は、支持アームを前記装置本体の支持部を中心に上下方向に回動自在としたものである。
【００１５】
前記構成により、支持アームを回転させて被検者を斜め方向から撮影する場合でも、Ｘ照射手段と対向するようＸ線受像手段の調整が容易かつ正確に行える。
【発明の効果】
【００１６】
本発明のＸ線撮影装置によれば、被検者が大人と子供のように体格に大きな差があっても、体格に合わせたＸ線照射野の調整が容易かつ的確に行えると共に、被検者が体格の小さい子供等の場合であっても、Ｘ線受像手段とＸ線照射手段の連動を切り離して個別に高さ調整する必要がないため、被検者の体格に合わせたＸ線受像手段及びＸ線照射手段の高さ調整が短時間で容易に行える。
【発明を実施するための最良の形態】
【００１７】
本発明の実施の形態を、図面を参照して詳述する。
図１Ｘ線撮影装置の斜視図、図２はＸ線の照射野を調整する絞り手段の断面図、図３は作用説明図である。
図１に示すＸ線撮影装置の装置本体１は、床上に設置された縦長な角筒状の本体ケース１ａを有しており、本体ケース１ａ内に支柱状の支持部材（図示せず）が立設されている。
本体ケース１ａの前面には、前記支持部材に上下摺動自在に支承されたスライダ２が設けられており、スライダ２は本体ケース１ａ内に設けられた図示しない上下駆動手段により上下方向に高さ調整できるようになっている。
スライダ２の中央部には、水平方向に回転軸３が支承されていて、この回転軸３はスライダ２内に設けられた図示しない回転駆動手段によりほぼ１８０度回転できるようになっており、スライダ２の側面より突設された回転軸３の先端部にほぼ逆Ｕ字形に形成された支持アーム４の基端側が固着されている。
支持アーム４は、ほぼ中間部より第１アーム４ａと第２アーム４ｂとに分割されていて、第１アーム４ａの分割端側に第２アーム４ｂの分割端が摺動自在に嵌挿されており、支持アーム４内に設けられたアーム伸縮手段（図示せず）により第１アーム４ａと第２アーム４ｂの間が伸縮自在となっていると共に、第２アーム４ｂの先端にＸ線照射手段５がスライド駆動手段６を介して取り付けられている。
【００１８】
スライド駆動手段６は、Ｘ線照射手段５を支持アーム４の旋回方向と直交する方向へＸ線照射手段５をスライドさせることにより、Ｘ線受像手段８の中心に対してＸ線照射手段５の中心をオフセット調整できるようになっている。
Ｘ線照射手段５は、内部にＸ線管５ａが収容されていて、このＸ線管５ａより発生されたＸ線は、Ｘ線照射手段５の前面に設けられた絞り手段７を介してＸ線受像手段８へ照射されるようになっている。
絞り手段７は、図２に示すように角箱状の絞りケース７ａを有していて、この絞りケース７ａ内に上下方向に２分割された板状の絞り羽根７ｂが設けられている。
各絞り羽根７ｂは、一端側が回動軸７ｃに固着されて、回動軸７ｃを中心に上下方向へ回動する回動アーム７ｄの他端に取り付けられており、Ｘ線管５ａよりＸ線受像手段８へ向けて照射されるＸ線の照射野を調整できるようになっている。
【００１９】
回動アーム７ｄの一端側に固着された各回動軸７ｃの近傍には、絞り羽根７ｂを連動及び独立させて調整自在な絞り駆動手段９が設けられている。
絞り駆動手段９は同期して回転し、また独立して回転が可能な電動機９ａと、これら電動機９ａの回転軸９ｂに固着された駆動ギヤ９ｃと、回動軸７ｃに固着され、かつ駆動ギヤ９ｃに噛合された従動ギヤ９ｄとにより構成されていて、各電動機９ａを同期回転させるとＸ線の中心Ｏを中心に各絞り羽根７ｂが同量開閉し、各電動機９ａを選択的に回転させることにより、各絞り羽根７ｂの一方のみを開閉したり、各絞り羽根７ｂの開閉量を任意に調整できるようになっている。
【００２０】
支持アーム４を支持する回転軸３側に設けられたＸ線受像手段８は、例えばＸ線平面センサや、イメージングプレート（ＩＰ）を用いたＣＲ（Ｃｏｍｐｕｔｅｄ  Ｒｅｄｉｏｇｒａｆｈｙ）等により構成されていて、図１に示すように被検者と対向する面が平坦面となった偏平な角箱状となっており、回転軸側の側面に、回転軸３と同軸に設けられた別の回転軸１０の一端が固着されている。
回転軸１０の他端側は、支持アーム４の基端側に回転自在に支承されていて、支持アーム４の基端部に設けられた回転駆動手段（図示せず）により回転軸１０を回転することにより、回転軸１０を中心にＸ線受像手段８がほぼ９０度回動できるようになっている。
【００２１】
次に前記構成されたＸ線撮影装置の作用を説明する。
通常は図１に示すように支持アーム４の基端側に設けられたＸ線受像手段８の中心と、支持アーム４の先端側に設けられたＸ線照射手段５の中心は一致しているが、スライド駆動手段６によりＸ線照射手段５を支持アーム４の旋回方向と直交する方向へスライドさせることにより、Ｘ線受像手段８の中心に対してＸ線照射手段５の中心をオフセット調整することも可能である。
被検者が大人のように体格が大きい場合は、被検者の胸部とＸ線受像手段８のほぼ中心が一致するようにスライダ２を上下動させて、Ｘ線受像手段８を高さ調整する。
このとき支持アーム４の先端に設けられたＸ線照射手段５もＸ線受像手段８とともに上下動するので、Ｘ線照射手段５とＸ線受像手段８の中心がずれることはない。
被検者の体格に合わせてＸ線受像手段８の高さ調整をしたら、絞り手段７によりＸ線照射野の調整を行うが、通常大人の場合は、Ｘ線の中心Ｏに対して上下がほぼ同じ照射野となるので、絞り駆動手段９の各電動機９ａを同期回転させて、Ｘ線の中心Ｏに対して各絞り羽根７ｂを同量上下方向に開閉し、Ｘ線の照射野を調整する。
【００２２】
以上のようにしてＸ線受像手段８の高さ調整と絞り手段７によるＸ線照射野の調整が完了したら、Ｘ線照射手段５よりＸ線受像手段８へ向けてＸ線を照射し、Ｘ線受像手段８の前に立たせた被検者の胸部のＸ線撮影を行うもので、従来のＸ線照射手段とＸ線受像手段が同期して動作する従来のＸ線撮影装置と同様な撮影準備時間でＸ線撮影が行える。
一方被検者が子供のように体格が小さい場合は、被検者の胸部にＸ線受像手段８のほぼ中心が一致するようスライダ２を下降させてＸ線受像手段８の高さ調整を行う。
このとき支持アーム４に支持されたＸ線受像手段８とＸ線照射手段５が同時に下降するので、Ｘ線受像手段８の中心とＸ線照射手段５の中心がずれることがなく、これによって従来のＸ線受像手段８とＸ線照射手段５の連動を切り離して個別の調整を繰り返し行うものに比べて短時間でＸ線受像手段８とＸ線照射手段５の高さ調整が行える。
【００２３】
Ｘ線受像手段８とＸ線照射手段５の高さ調整が終了したら、Ｘ線照射野の調整を絞り手段７により行うが、被検者が子供の場合、Ｘ線の中心Ｏに対して上側より下側の照射野は小さいことから、絞り駆動手段９の下側の電動機９ａのみを回転させて下側の絞り羽根７ｂを上方へ回動し、図３に示すようにＸ線の中心Ｏに対して下側の照射野が小さくなるように調整する。
これによって子供の体格に合わせたＸ線受像手段８及びＸ線照射手段５の高さ調整と絞り手段７によるＸ線照射野の調整が、面倒な操作を必要とせずに短時間で容易に行えると共に、必要以上にＸ線照射野が広がることがないので、被検者のＸ線被曝量も低減することができる。
以上のようにしてＸ線受像手段８の高さ調整と絞り手段７によるＸ線照射野の調整が完了したら、Ｘ線照射手段５よりＸ線受像手段８へ向けてＸ線を照射し、Ｘ線受像手段８の前に立たせた被検者の胸部のＸ線撮影を行うもので、被検者が体格の小さい子供の場合であっても、短時間でＸ線撮影が行えるようになる。
【００２４】
一方臥位の姿勢にある被検者をＸ線撮影する場合は、スライダ３内に設置された回転駆動手段により回転軸３を回転させて、Ｘ線照射手段５が上側に、そしてＸ線受像手段８が下側となるように支持アーム４をほぼ９０度回転させればよく、臥位の姿勢にある被検者の胸部や、その他に部位も容易にＸ線撮影することが可能である。
【産業上の利用可能性】
【００２５】
本発明のX線撮影装置は、被検者が大人と子供のように体格に大きな差があっても、体格に合わせたＸ線照射野の調整が容易かつ的確に行える上、被検者が体格の小さい子供等の場合であっても、被検者の体格に合わせたＸ線受像手段及びＸ線照射手段の高さ調整が短時間で容易に行えるため、特に胸部を撮影するＸ線撮影装置に好適である。
【図面の簡単な説明】
【００２６】
【図１】本発明の実施の形態になるＸ線撮影装置の斜視図である。
【図２】本発明の実施の形態になるＸ線撮影装置の絞り手段部分の断面図である。
【図３】本発明の実施の形態になるＸ線撮影装置の作用説明図である。
【図４】従来のＸ線撮影装置の説明図である。
【図５】従来のＸ線撮影装置の説明図である。
【図６】従来のＸ線撮影装置の説明図である。
【図７】従来のＸ線撮影装置の説明図である。
【符号の説明】
【００２７】
１    装置本体
４    支持アーム
４ａ    第１アーム
４ｂ    第２アーム
５    Ｘ線照射手段
７    絞り手段
７ｂ    絞り羽根
８    Ｘ線受像手段
９    絞り駆動手段
【図１】
2005287668.tif 000003
【図２】
2005287668.tif 000004
【図３】
2005287668.tif 000005
【図４】
2005287668.tif 000006
【図５】
2005287668.tif 000007
【図６】
2005287668.tif 000008
【図７】
2005287668.tif 000009